(57)【特許請求の範囲】
【請求項１】
ガイド部材と、このガイド部材に往復移動可能に支持されたスライダと、このスライダを前記ガイド部材に対して固定する係止手段とを具備し、この係止手段は、前記スライダに所定範囲で前記スライダの往復移動方向に変位可能に支持された操作部と、この操作部がその変位範囲の中間の中立位置にあるとき前記ガイド部材に対する前記スライダの係止状態を保持させ前記操作部が前記中立位置から両方向いずれの方向に変位したときにも前記係止状態を解除する係止解除手段とを有し、前記係止状態が解除されると前記操作部の変位が前記スライダに伝達されることを特徴とするスライドガイド装置。
【請求項２】
前記スライダの移動方向と前記操作部の変位方向とを一致させたことを特徴とする請求項１記載のスライドガイド装置。
【請求項３】
ガイド部材に対してスライダを移動させて固定するスライドガイド装置において、前記ガイド部材に設けられ、前記スライダの移動方向に並ぶ複数の係止受け部と、前記スライダに設けられ、前記係止受け部に嵌り込む係止位置と前記係止受け部から外れる解除位置との間で往復移動可能な係止部と、前記スライダと前記係止部との間に設けられ、前記係止部を前記係止位置に向けて付勢する付勢部材と、前記スライダに対して前記移動方向と同じ方向に変位可能に取り付けられ、中立位置から変位されると前記係止部を前記解除位置に移動させるカム体と、前記カム体に設けられた操作部とを備え、前記操作部が移動されて前記カム体が前記スライダに対して変位すると前記係止部が前記付勢部材の付勢力に抗して前記解除位置に移動し、そのまま前記操作部の移動方向と同じ方向に前記スライダが移動されることを特徴とするスライドガイド装置。
【請求項４】
前記ガイド部材に設けられ、前記カム体の前記スライダに対する変位を前記スライダの移動方向と同じ方向に規制するガイドを備えることを特徴とする請求項３記載のスライドガイド装置。
【請求項５】
前記係止受け部は係止凹部であり、前記係止部は係止凸部であり、前記係止凹部は、前記スライダの移動方向に対して直交し、前記係止位置に移動している前記係止凸部からの入力荷重を受け止める荷重受け面を有していることを特徴とする請求項３又は４載のスライドガイド装置。
【請求項６】
前記ガイド部材は椅子の肘掛け支柱に設けられ、前記スライダは前記椅子の肘掛けに設けられ、前記肘掛けの高さ調整を行うことを特徴とする請求項１から５のいずれか１つに記載のスライドガイド装置。
【発明の詳細な説明】
【技術分野】
【０００１】
本発明は、スライドガイド装置に関する。更に詳しくは、本発明はガイド部材に対してスライダを移動させて固定するスライドガイド装置に関する。
【背景技術】
【０００２】
ガイド部材に対してスライダを移動させて固定する装置として、例えば椅子の肘掛けの高さ調節装置がある。従来、椅子の肘掛けの高さ調節装置として、例えば特開２０００−２７９２６８号公報に開示されたものがある。
【０００３】
この高さ調節装置は、図１０及び図１１に示すように、多数の係止凹溝１０１を備える高さ調節板１０２（ガイド部材）を肘掛け支柱１０３に取り付けると共に、高さ調節板１０２に対して上下方向に摺動する支持桿１０５（スライダ）を肘掛け１０４に取り付けている。支持桿１０５には係合ピン１０６を有する操作レバー１０７が水平ピン１０８によって回動自在に取り付けられている。操作レバー１０７は圧縮コイルばね１０９によって係合ピン１０６を係止凹溝１０１に入り込ませる方向に付勢されており、操作レバー１０７を操作していない状態では、係合ピン１０６が係止凹溝１０１に嵌り込んでいる。このため、肘掛け１０４は肘掛け支柱１０３に固定されている。
【０００４】
この状態より、操作レバー１０７の操作部１０７ａを握ると、即ち操作部１０７ａを後方に押し込むと、操作レバー１０７は水平ピン１０８を中心に回動し、係合ピン１０６が係止凹溝１０１から外れる。これにより支持桿１０５が高さ調節板１０２からフリーになり、肘掛け１０４を昇降させることができる。そして、肘掛け１０４を所望の高さに昇降させた後、握っていた操作部１０７ａを離すと、圧縮コイルばね１０９の付勢力によって操作レバー１０７が元の位置に戻され、係合ピン１０６が別の係止凹溝１０１に嵌り込む。これによって支持桿１０５が高さ調節板１０２に固定され、肘掛け１０４の高さをロックすることができる。
【０００５】
【特許文献１】特開２０００−２７９２６８号
【発明の開示】
【発明が解決しようとする課題】
【０００６】
しかしながら、上述の肘掛けの高さ調節装置では、操作レバー１０７の操作部１０７ａを後方に押し込むように操作するので、操作部１０７ａの操作方向と肘掛け１０４を移動させる方向とが相違する。このため、肘掛け１０４を昇降させるために、操作部１０７ａを後方に押し込む動作と肘掛け１０４を昇降させる動作との別々の２つの動作が必要となり、操作性が悪かった。
【０００７】
本発明は、操作性の良いスライドガイド装置を提供することを目的とするものであり、特に、操作部の操作方向とスライダの移動方向を一致させることができるスライドガイド装置を提供することを目的とする。
【課題を解決するための手段】
【０００８】
かかる目的を達成するために請求項１記載の発明は、ガイド部材と、このガイド部材に往復移動可能に支持されたスライダと、このスライダをガイド部材に対して固定する係止手段とを具備し、この係止手段は、スライダに所定範囲でスライダの往復移動方向に変位可能に支持された操作部と、この操作部がその変位範囲の中間の中立位置にあるときガイド部材に対するスライダの係止状態を保持させ操作部が中立位置から両方向いずれの方向に変位したときにも係止状態を解除する係止解除手段とを有し、係止状態が解除されると操作部の変位がスライダに伝達されるものである。
【０００９】
操作部が操作されていない状態、即ち操作部が変位範囲の中立位置に在る状態では、スライダは係止手段によってガイド部材に固定されており、移動することはできない。なお、この状態では係止解除手段はスライダの係止状態を保持させている。
【００１０】
この状態より、操作部が操作されてその中立位置から変位すると、係止手段の係止解除手段がスライダの係止状態を解除するので、スライダがガイド部材に対してフリーとなり、スライダを移動させることができる。スライダはガイド部材に対して往復移動可能に支持されているので、スライダを往復両方向に移動させることができる。また、操作部をその中立位置から両方向に変位させることができ、操作部が両方向いずれの方向に変位しても係止解除手段はスライダの係止状態を解除する。
【００１１】
そして、請求項２記載の発明のように、スライダの移動方向と操作部の変位方向とを一致させれば、操作部を変位させた方向にそのままスライダを移動させることができ、一連の動作で操作部の操作とスライダの移動を行うことができる。
【００１２】
また、請求項３記載の発明は、ガイド部材に対してスライダを移動させて固定するスライドガイド装置において、ガイド部材に設けられ、スライダの移動方向に並ぶ複数の係止受け部と、スライダに設けられ、係止受け部に嵌り込む係止位置と係止受け部から外れる解除位置との間で往復移動可能な係止部と、スライダと係止部との間に設けられ、係止部を係止位置に向けて付勢する付勢部材と、スライダに対して移動方向と同じ方向に変位可能に取り付けられ、中立位置から変位されると係止部を解除位置に移動させるカム体と、カム体に設けられた操作部とを備え、操作部が移動されてカム体がスライダに対して変位すると係止部が付勢部材の付勢力に抗して解除位置に移動し、そのまま操作部の移動方向と同じ方向にスライダが移動されるものである。
【００１３】
操作部が操作されていない状態では、係止部は付勢部材の付勢力によって係止位置に保持されており、係止部が係止受け部に嵌り込んでいる。このため、スライダはガイド部材に固定され、移動することはできない。なお、この状態では付勢部材によって係止部が係止位置に保持されていることで、カム体は中立位置に戻されている。
【００１４】
この状態より、操作部が操作されて一側に移動されると、固定状態のスライダに対してカム体が一側に変位し、付勢部材の付勢力に抗して係止部を係止位置から解除位置に移動させる。このため、係止部が係止受け部から外れてスライダがガイド部材に対してフリーとなる。いま、操作部は一側に操作されているので、その操作力は操作部→カム体→係止部→スライダへと伝わり、フリーとなったスライダはそのまま一側に移動する。即ち、操作部を一側に移動させることでスライダの固定を解除してそのまま一側に移動させることができる。
【００１５】
そして、操作部の操作を止めるなどして、カム体が係止部を解除位置に保持する力が消滅すると、付勢部材の付勢力によって係止部が係止位置に戻されて移動先の別の係止受け部に嵌り込み、スライダがガイド部材に固定される。即ち、スライダを一側に任意の位置まで移動させて固定することができる。また、係止部が係止位置に戻されることでカム体が中立位置に戻され、操作部も元の位置に戻される。
【００１６】
同様に、操作部を反対側に操作することで、スライダを反対側の任意位置まで移動させて固定することができる。
【００１７】
係止部が係止受け部に嵌り込んだ状態では、スライダにその移動方向の力が作用しても係止部が係止受け部から外れることはなく、スライダをしっかりと固定する。
【００１８】
また、請求項４記載のスライドガイド装置は、ガイド部材に設けられ、カム体のスライダに対する変位をスライダの移動方向と同じ方向に規制するガイドを備えるものである。したがって、スライダに対してカム体を常に真っ直ぐ変位させることができる。
【００１９】
また、請求項５記載のスライドガイド装置は、係止受け部は係止凹部であり、係止部は係止凸部であり、係止凹部が、スライダの移動方向に対して直交し、係止位置に移動している係止凸部からの入力荷重を受け止める荷重受け面を有している。したがって、固定したスライダに作用する荷重はスライダ→係止凸部→荷重受け面へと伝えられてガイド部材によって支持される。荷重受け面はスライダの移動方向に対して直交しているので、スライダからの荷重を垂直に受け止めることができる。
【００２０】
さらに、請求項６記載のスライドガイド装置は、ガイド部材が椅子の肘掛け支柱に設けられ、スライダが椅子の肘掛けに設けられ、肘掛けの高さ調整を行うものである。したがって、ガイド部材に対してスライダを移動させると、椅子の肘掛けの高さが変化する。また、スライダをガイド部材に固定することで、肘掛けを固定することができる。即ち、椅子の肘掛けを高さ調整可能に取り付けることができる。
【発明の効果】
【００２１】
請求項１記載の発明では、ガイド部材と、このガイド部材に往復移動可能に支持されたスライダと、このスライダをガイド部材に対して固定する係止手段とを具備し、この係止手段は、スライダに所定範囲でスライダの往復移動方向に変位可能に支持された操作部と、この操作部がその変位範囲の中間の中立位置にあるときガイド部材に対するスライダの係止状態を保持させ操作部が中立位置から両方向いずれの方向に変位したときにも係止状態を解除する係止解除手段とを有し、係止状態が解除されると操作部の変位がスライダに伝達されるので、操作部の操作によってスライダを移動させることができる。操作部をその中立位置から両方向いずれの方向に変位させても係止解除手段によってスライダの係止状態を解除することができ、操作性を向上させることができる。
【００２２】
また、請求項２記載の発明は、スライダの移動方向と操作部の変位方向とを一致させているので、操作部を変位させた方向にそのままスライダを移動させることができる。このため、係止解除操作とスライダの移動操作とを一連の操作としてスムーズに行うことができ、さらに操作性を向上させることかできる。
【００２３】
請求項３記載のスライドガイド装置では、ガイド部材に設けられ、スライダの移動方向に並ぶ複数の係止受け部と、スライダに設けられ、係止受け部に嵌り込む係止位置と係止受け部から外れる解除位置との間で往復移動可能な係止部と、スライダと係止部との間に設けられ、係止部を係止位置に向けて付勢する付勢部材と、スライダに対して移動方向と同じ方向に変位可能に取り付けられ、中立位置から変位されると係止部を解除位置に移動させるカム体と、カム体に設けられた操作部とを備え、操作部が移動されてカム体がスライダに対して変位すると係止部が付勢部材の付勢力に抗して解除位置に移動し、そのまま操作部の移動方向と同じ方向にスライダが移動されるので、操作部を一側に操作すればスライダを一側に移動させることができ、操作部を他側に操作すればスライダを他側に移動させることができる。このため、操作部の操作方向とスライダの移動方向とを一致させることができ、使い勝手を向上させることができる。
【００２４】
しかも、係止部を係止受け部に嵌め込んで係止させるので、スライダにその移動方向の力が作用しても係止部が係止受け部から外れることはなく、スライダをしっかりと固定することができる。このため、例えば椅子の肘掛けを高さ調節可能に支持する装置等、大荷重を受け、位置調節可能な部材の取付装置等に特に適したスライドガイド装置を提供することができる。
【００２５】
また、請求項４記載のスライドガイド装置では、ガイド部材に設けられ、カム体のスライダに対する変位をスライダの移動方向と同じ方向に規制するガイドを備えているので、スライダに対してカム体を常に真っ直ぐ変位させることができる。このため、カム体による係止部の操作を確実なものにでき、しかもスムーズに操作することができる。
【００２６】
また、請求項５記載のスライドガイド装置では、係止受け部は係止凹部であり、係止部は係止凸部であり、係止凹部が、スライダの移動方向に対して直交し、係止位置に移動している係止凸部からの入力荷重を受け止める荷重受け面を有しているので、固定状態のスライダに作用するスライダを移動させようとする荷重を荷重受け面によって垂直に受け止めることができる。このため、スライダに作用する荷重をしっかりと受け止めることができ、固定状態の剛性をより一層向上させることができる。
【００２７】
さらに、請求項６記載のスライドガイド装置では、ガイド部材が椅子の肘掛け支柱に設けられ、スライダが椅子の肘掛けに設けられ、肘掛けの高さ調整を行うようにしているので、スライドガイド装置を椅子の肘掛けの高さ調整機構として使用することができる。
【発明を実施するための最良の形態】
【００２８】
以下、本発明の構成を図面に示す最良の形態に基づいて詳細に説明する。
【００２９】
図１〜図８に、本発明のスライドガイド装置の実施形態の一例を示す。本実施形態では、例えば椅子の肘掛けの高さ調節装置に適用した例について説明する。
【００３０】
スライドガイド装置２６は、ガイド部材１に対してスライダ２を移動させて固定するものであって、ガイド部材１に設けられ、スライダ２の移動方向Ｓに並ぶ複数の係止受け部３と、スライダ２に設けられ、係止受け部３に嵌り込む係止位置Ｐ１（図３(Ａ)中、係止部４が在る位置）と係止受け部３から外れる解除位置Ｐ２（図３(Ｂ)，(Ｃ)、図４中、係止部４が在る位置）との間で往復移動可能な係止部４と、スライダ２と係止部４との間に設けられ、係止部４を係止位置Ｐ１に向けて付勢する付勢部材５と、スライダ２に対して移動方向Ｓと同じ方向に変位可能に取り付けられ、中立位置Ｐ３（図３(Ａ)中、カム体６が在る位置）から変位されると係止部４を解除位置Ｐ２に移動させるカム体６と、カム体６に設けられた操作部７とを備え、操作部７が移動されてカム体６がスライダ２に対して変位すると係止部４が付勢部材５の付勢力に抗して解除位置Ｐ２に移動し、そのまま操作部７の移動方向Ｓと同じ方向にスライダ２が移動されるものである。即ち、スライダ２をガイド部材１に対して固定する係止手段を係止受け部３と係止部４と付勢部材５とを備えて構成している。また、係止手段は、操作部７と係止解除手段としてのカム体６とを有している。
【００３１】
本実施形態では、係止受け部３は例えば凹部（以下、係止凹部３という）であり、係止部４は例えば凸部（以下、係止凸部４という）である。ただし、係止受け部３を凸部にし、係止部４を凹部にしても良い。
【００３２】
椅子の肘掛けの高さ調節装置であるスライドガイド装置２６は、例えば肘掛け支持体８と肘掛け９の間に設けられている。肘掛け支持体８は、例えば図示しない椅子の座受け部材に取り付けられている。肘掛け支持体８の垂直部８ａ内にはスライドガイド装置２６を収容する空間１０が設けられている。また、肘掛け９には筒状のカバー１１が設けられており、スライドガイド装置２６を隠して外観の悪化を防止している。肘掛け支持体８の垂直部８ａの外側壁８ｂとカバー１１の外側壁１１ａには、操作部７のカム体６への取り付けを可能にするスリット１２，１３がそれぞれ設けられている。
【００３３】
ガイド部材１は、例えばスライダ２の移動方向Ｓに細長い板材であり、スライダ２を挟むようにして２枚設けられている。第１及び第２のガイド部材１Ａ，１Ｂには長手方向、即ちスライダ２の移動方向Ｓに細長い長孔１４が形成されており、長孔１４の一側の縁には多数の係止凹部３が一定のピッチで形成されている。長孔１４の一側縁に係止凹部３を形成しているので、係止凹部３はスライダ２の移動方向Ｓに直交する方向に開口する。係止凹部３は、図５に詳しく示すように、スライダ２の移動方向Ｓに対して直交し、係止位置Ｐ１に移動している係止凸部４からの入力荷重を受け止める荷重受け面１５を有している。また、２枚のガイド部材１Ａ，１Ｂの重ね合わせ面にはスライダ２を案内するガイド溝１６（図１中、第１のガイド部材１Ａについて図示）がそれぞれ設けられており、２枚のガイド部材１Ａ，１Ｂを重ね合わせることで、スライダ２を収容し且つ移動方向Ｓに正確に案内するガイド空間１７が形成される。
【００３４】
また、ガイド部材１には、カム体６のスライダ２に対する変位をスライダ２の移動方向Ｓと同じ方向に規制するガイド２７が設けられている。ガイド２７は、例えばカム体６を摺動させるガイド溝である。ガイド２７は長孔１４が設けられている範囲に設けられているので、カム体６を長孔１４の一端に対応する位置から他端に対応する位置まで移動させることができ、スライダ２のガイド部材１に対する移動を妨げない。ガイド２７の幅寸法はカム体６の幅寸法に対応しており、カム体６をがた付かせたり姿勢を傾けさせたりせずに真っ直ぐ案内することができる。本実施形態では、カム体６を重ねる面である第１のガイド部材１Ａの外側面（図１の下側の面）と第２のガイド部材１Ｂの外側面（図１の上側の面）にガイド２７が設けられている。
【００３５】
スライダ２は例えば板材であり、スライダ２の移動方向Ｓに直交する方向に細長い長孔１８と、スライダ２の移動方向Ｓに細長い長孔１９が設けられている。長孔１９は長孔１８を挟んで両側にそれぞれ設けられている。スライダ２には肘掛け９が固定される。なお、本実施形態では、加工の容易性等を考慮して３つの長孔１８，１９，１９を十字状に連続して形成しているが、これらを連続させずにそれぞれ独立させて形成しても良い。また、スライダ２には軽量化等の為の孔２０が多数形成されているが、孔２０は無くても良い。
【００３６】
係止凸部４は例えば係止凹部３に嵌り込む円柱体である。係止凸部４はスライダ２の長孔１８内に挿入されている。また、長孔１８内には付勢部材５が収容されており、付勢部材５は係止凸部４を長孔１８内の一側に向けて、即ち係止位置Ｐ１に向けて押し付けている。付勢部材５は例えばコイルスプリングである。
【００３７】
カム体６は、例えばカム孔２１が設けられた矩形状を成す板材で、重ね合わせた２枚のガイド部材１Ａ，１Ｂを挟むようにして２枚設けられている。本実施形態では、カム体６の四隅を丸めているが、カム体６をスムーズに変位させることができる場合等にはカム体６の四隅を丸める必要はない。第１及び第２のカム体６Ａ，６Ｂのカム孔２１には係止凸部４が貫通している。カム孔２１は、例えばスライダ２の移動方向Ｓに対して傾斜する２つの傾斜部２１ａ，２１ｂを有するＶ字形状を成しており、スライダ２に対してカム体６が往復方向のいずれの方向に変位しても係止凸部４を係止位置Ｐ１から解除位置Ｐ２に移動させることができる。第１のカム体６Ａには２本の連結ピン２２がスライダ２の移動方向Ｓに並んで設けられており、各連結ピン２２に対向して第２のカム体６Ｂには２つの孔２３が設けられている。第１のガイド部材１Ａの外側面に第１のカム体６Ａを重ね合わせ、２本の連結ピン２２を第１のガイド部材１Ａの長孔１４とスライダ２の長孔１９と第２のガイド部材１Ｂの長孔１４に通し、第２のガイド部材１Ｂの外側面に重ね合わせた第２のカム体６Ｂの孔２３に嵌め込むことで、２枚のカム体６を連結させて一体化させることができる。カム体６は、図３(Ｂ)，図４(Ａ)に示すように、長孔１８内の係止凸部４がカム孔２１内を相対的に移動できる範囲でスライダ２に対して変位可能である。長孔１９の幅寸法は連結ピン２２の直径に対応しており、また長孔１９はスライダ２の移動方向Ｓに沿って形成されているので、カム体６の変位はスライダ２の移動方向Ｓに沿ったものとなる。さらに、第２のカム体６Ｂには操作部７を連結する孔２４が形成されている。
【００３８】
操作部７は、例えばスライダ２の移動方向Ｓに対して直交する方向に広い面積を有する摘みであり、スライダ２の移動方向Ｓに操作しやすい形状となっている。操作部７の底面には嵌合突起２５が設けられており、嵌合突起２５をカバー１１のスリット１３と肘掛け支持体８のスリット１２を通して第２のカム体６Ｂの孔２４に嵌め込むことで、操作部７をカム体６に一体化させることができる。
【００３９】
本実施形態では、スライドガイド装置２６を例えば椅子の肘掛け９の高さ調節装置として使用するので、スライドガイド装置２６を立てた状態で使用する。したがって、スライダ２の移動方向Ｓは上下方向となる。また、操作部７を肘掛け支持体８の垂直部８ａの外側面に取り付けているので、着座者の邪魔になったり、着座者の体が当たって誤操作されることがなく、また、操作しやすい配置になっている。
【００４０】
次に、肘掛け９の肘掛け支持体８への取り付けについて説明する。まず最初に、スライドガイド装置２６を組み立てる。例えば、第１のカム体６Ａに第１のガイド部材１Ａとスライダ２を重ね、スライダ２の長孔１８内に係止凸部４と付勢部材５を挿入する。そして、第２のガイド部材１Ｂと第２のカム体６Ｂを重ねる。このとき、第２のカム体６Ｂの孔２３に連結ピン２２を嵌め込むことで、第１のカム体６Ａ、第１のガイド部材１Ａ、スライダ２、第２のガイド部材１Ｂ、第２のカム体６Ｂを仮固定することができる。
【００４１】
このようにしてスライドガイド装置２６を仮固定した後、スライダ２が突出する方向を上にして肘掛け支持体８内の空間１０に挿入し、例えば図示しないねじによって固定する。そして、カバー１１を上から被せながら肘掛け９をスライダ２の上端に嵌め込んで固定する。肘掛け９をスライダ２に嵌め込んだ状態では、カバー１１のスリット１３と肘掛け支持体８のスリット１２と第２のカム体６Ｂの孔２４の位置が一致しているので、操作部７の嵌合突起２５をスリット１３、スリット１２を通して孔２４に嵌め込んで操作部７を第２のカム体６Ｂに取り付ける。これにより、肘掛け９が高さ調節可能に肘掛け支持体８に取り付けられる。
【００４２】
操作部７が操作されていない状態では、図３（Ａ）に示すように、係止凸部４は付勢部材５の付勢力によって係止位置Ｐ１に保持されており、係止凸部４がいずれか一つの係止凹部３に嵌り込んでいる。即ち、この状態では係止解除手段であるカム体６は中立位置Ｐ３に位置しており、操作部７はその変位範囲の中間の中立位置にありガイド部材１に対するスライダ２の係止状態を保持させている。このため、スライダ２はガイド部材１に固定され、肘掛け９を昇降させることはできない。また、着座者が肘掛け９の上に肘を載せても肘掛け９が下降することはない。なお、この状態では付勢部材５によって係止凸部４が係止位置Ｐ１に保持されていることで、カム体６は中立位置Ｐ３に戻されている。
【００４３】
係止凹部３はスライダ２の移動方向Ｓに対して直交する方向に開口しており、係止凸部４はこの方向から係止凹部３に嵌り込む。そのため、係止凸部４が係止凹部３に嵌り込んだ状態では、スライダ２にその移動方向Ｓの力が作用しても係止凸部４が係止凹部３から外れることはなく、スライダ２をしっかりと固定する。
【００４４】
しかも、係止凹部３には荷重受け面１５が設けられているので、肘掛け９に着座者が肘を載せると、その荷重はスライダ２→係止凸部４→荷重受け面１５へと伝えられてガイド部材１によって支持される。仮に、荷重受け面１５がスライダ２の移動方向Ｓに対して傾斜している場合には、その荷重によって係止凸部４を荷重受け面１５に沿って摺動させる力が発生し、係止凸部４ががた付き、使い心地を悪化させてしまう。本発明のスライドガイド装置２６では、係止凸部４を支持する荷重受け面１５はスライダ２の移動方向Ｓに対して直交しているので、スライダ２からの荷重を垂直に受け止めることができる。このため、スライダ２に作用する荷重をしっかりと受け止めて係止凸部４をがた付かせる力が発生することが無く、肘掛け９の剛性をより一層高めて使い心地を良くすることができる。
【００４５】
肘掛け９を高くする場合には、操作部７を上に持ち上げれば良い。操作部７が上に操作されて上昇すると、固定状態のスライダ２に対してカム体６が上側に変位するので、図３（Ｂ）に示すように、カム孔２１の下側傾斜部２１ａが付勢部材５の付勢力に抗して係止凸部４を係止位置Ｐ１から解除位置Ｐ２に移動させる。即ち、係止解除手段であるカム体６は、操作部７がその中立位置から変位するとスライダ２の係止状態を解除する。このため、係止凸部４が係止凹部３から外れてスライダ２がガイド部材１に対してフリーとなる。そして、操作部７は上側に操作されているので、その操作力は操作部７→カム体６→係止凸部４→スライダ２へと伝わり、図３（Ｃ）に示すように、フリーとなったスライダ２はそのまま上側に移動する。
【００４６】
そして、操作部７を持ち上げる操作を止めると、カム体６が係止凸部４を解除位置Ｐ２に保持する力が消滅するので、付勢部材５の付勢力によって係止凸部４が係止位置Ｐ１に戻されて移動先の別の係止凹部３に嵌り込み、スライダ２がガイド部材１に固定される。即ち、肘掛け９を任意の高さに上昇させて固定することができる。また、係止凸部４が係止位置Ｐ１に戻されることでカム体６が中立位置Ｐ３に戻され、操作部７はカバー１１に対して元の位置に戻される。
【００４７】
肘掛け９を低くする場合には、操作部７を下げれば良い。操作部７が下に操作されて下降すると、固定状態のスライダ２に対してカム体６が下側に変位するので、図４（Ａ）に示すように、カム孔２１の上側傾斜部２１ｂが付勢部材５の付勢力に抗して係止凸部４を係止位置Ｐ１から解除位置Ｐ２に移動させる。このため、係止凸部４が係止凹部３から外れてスライダ２がガイド部材１に対してフリーとなる。そして、操作部７は下側に操作されているので、その操作力は操作部７→カム体６→係止凸部４→スライダ２へと伝わり、図４（Ｂ）に示すように、フリーとなったスライダ２はそのまま下側に移動する。
【００４８】
そして、操作部７を下げる操作を止めると、カム体６が係止凸部４を解除位置Ｐ２に保持する力が消滅するので、付勢部材５の付勢力によって係止凸部４が係止位置Ｐ１に戻されて移動先の別の係止凹部３に嵌り込み、スライダ２がガイド部材１に固定される。即ち、肘掛け９を任意の高さに下降させて固定することができる。また、係止凸部４が係止位置Ｐ１に戻されることでカム体６が中立位置Ｐ３に戻され、操作部７はカバー１１に対して元の位置に戻される。
【００４９】
本発明のスライドガイド装置２６では、操作部７を持ち上げればそのままスライダ２を上昇させて肘掛け９を高くすることができ、操作部７を下げればそのままスライダ２を下降させて肘掛け９を低くすることができる。即ち、操作部７の操作方向とスライダ２の移動方向とを一致させることができる。このため、操作が大変しやすく、使い勝手を向上させることができる。
【００５０】
なお、操作部７を上又は下に操作して係止凸部４を解除位置Ｐ２に移動させることでスライダ２がガイド部材１に対してフリーとなるので、この状態で操作部７の操作方向と逆方向にスライダ２を移動させることもできる。即ち、操作部７を上に操作して肘掛け９を下降させる操作、逆に操作部７を下に操作して肘掛け９を上昇させる操作も可能である。例えば、肘掛け９の高さを程良い高さに調節するために肘掛け９を何回か上下させることがあるが、操作部７の操作方向と同じ方向と逆方向の両方向にスライダ２を移動さることができるので、このような高さ調節の操作を容易に行うことができる。
【００５１】
また、カム体６はガイド２７に案内されて摺動するので、スライダ２に対して常に真っ直ぐに変位し、その姿勢が傾いたりがた付いたりすることがない。また、カム体６の四隅は丸められている。このため、カム体６の変位が確実でスムーズなものとなり、スライドガイド装置２６の昇降動作を確実でスムーズなものにすることができる。なお、本実施形態では、２本の連結ピン２２を２つの長孔１９に挿入しており、この構造からもカム体６の姿勢の傾きやがた付きを防止することができるので、カム体の変位をより一層確実でスムーズにすることができ、スライドガイド装置２６の昇降動作をより一層確実でスムーズなものにすることができる。そして、ガイド２７と連結ピン２２および長孔１９との併用により、部品の寸法精度のばらつきなどの要因で作動性に悪影響が生じることを抑制でき、製造上信頼性を向上できる。
【００５２】
近年、デスクトップパソコン等のモニタが薄型化される傾向にある。薄型モニタを使用することでモニタの位置を奥にずらすことができ、机の上を広く使用することができる。しかし、その分だけ着座者とモニタとの距離が大きくなる。このため、机の天板と干渉する肘掛け９の配置を後方にずらし、できるだけ机に近づいて着座姿勢を取ることができるようにした椅子がある。このような椅子では、肘掛け９を後方配置した分だけ腕を後ろに回さなければ肘掛け９の高さ調節を行うことができない。つまり、腕を無理に後ろに回すことになるので、図１０及び図１１に示す操作部１０７ａを後方に押し込みながら肘掛け１０４を昇降させるタイプの高さ調節装置等では、片手での昇降作業が大変し難い動作となる。つまり、操作部を肘掛け９の移動方向と異なる方向に操作する場合には、片手での肘掛け９の昇降が大変し難くなる。これに対し、スライドガイド装置２６では、操作部７の操作方向と肘掛け９の移動方向とを一致させることができるので、操作部７を摘んで操作し、そのままその操作方向に肘掛け９を昇降させることができるので、肘掛け９が後方配置されていない通常の椅子は勿論のこと、たとえ肘掛け９が後方配置されている椅子であっても、肘掛け９を昇降させる動作がしやすくなり、使い勝手に優れている。
【００５３】
なお、上述の形態は本発明の好適な形態の一例ではあるがこれに限定されるものではなく本発明の要旨を逸脱しない範囲において種々変形実施可能である。
【００５４】
例えば、上述の説明では、係止凹部３はスライダ２の移動方向Ｓに対して直交する方向に開口していたが、必ずしも直交する方向である必要はなく、スライダ２の移動方向Ｓにある程度の荷重が作用した場合であっても係止凸部４が係止凹部３に対して摺動して外れることのない範囲の方向に開口していれば良い。即ち、係止凹部３が開口する方向が、スライダ２の移動方向Ｓに直交する方向から外れて移動方向Ｓに近づくと、スライダ２の移動方向Ｓに作用する荷重によって係止凸部４が係止凹部３に対して摺動して外れる虞が生じるが、スライダ２の移動方向Ｓに荷重が作用した場合であっても係止凸部４が係止凹部３に対して摺動して外れることのない範囲の方向に係止凹部３が開口していれば良い。ただし、実際の製品設計では、係止凸部４の外れに対して十分な余裕をもって開口方向を決定することが好ましく、できるだけ移動方向Ｓに対して直交する方向にすることが好ましい。即ち、係止凹部３が開口する方向は、移動方向Ｓに正確に直交する方向ではなくても実用上問題のない方向であれば良い。
【００５５】
また、上述の説明では、操作部７を肘掛け支持体８の外側面に配置するようにしていたが、操作部７の配置は肘掛け支持体８の外側面に限るものではなく、例えば肘掛け支持体８の前側面や後側面でも良く、その他の場所でも良い。
【００５６】
また、上述の説明では、ガイド２７を備えていたが、ガイド２７が無くてもカム体６をスムーズに変位させることができる場合等にはガイド２７を省略しても良い。
【００５７】
また、上述の説明では、係止凹部３に、スライダ２の移動方向Ｓに対して直交する荷重受け面１５を設けていたが、スライダ２の移動方向Ｓの荷重に対して係止凸部４をしっかりと支えることができる場合等には荷重受け面１５を省略しても良い。
【００５８】
また、例えば図９に示すように、カム体６に設けたカム孔２１の傾斜部２１ａ，２１ｂの端部にそれぞれ窪み２１ｃ，２１ｄを設けても良い。この場合には、操作部７を操作してカム体６を変位させると窪み２１ｃ，２１ｄに係止凸部４が嵌ることになり、付勢部材５に抗してカム体６の位置を保持することができる。このため、操作部７の操作を止めてもガイド部材１に対するスライダ２のフリー状態を維持することができ、そのままスライダ２（肘掛け９）を自由に上下させることができる。そして、操作部７に上または下に少し力を加えることで係止凸部４を窪み２１ｃ，２１ｄから外すことができるので、カム体６を中立位置Ｐ３に戻すことができる。
【００５９】
本発明では、操作部７及びカム体６の移動方向とスライダ２の移動方向とを必ずしも一致させる必要はなく、両者は交差する方向性を有していても良い。
【００６０】
また、上述の説明では、スライドガイド装置２６を椅子の肘掛け９の高さ調節装置に適用していたが、椅子の肘掛け９の高さ調節装置以外の装置・機構類に適用しても良い。即ち、ガイド部材１に対してスライダ２を移動させて固定する装置・機構類であれば適用可能である。例えば、椅子の肘掛け９を肘掛け支持体８に対して前後方向又は左右方向に移動させて位置調節する装置、肘掛け支持体８を座部に対して前後方向又は左右方向に移動させて位置調節する装置、肘掛け支持体８を座部に対して昇降させて高さ調節する装置、椅子の座板を座受け部材に対して前後方向又は左右方向に移動させて位置調節する装置、椅子の背もたれの背板を背支桿に対して昇降させて高さ調節する装置、背支桿を座部に対して昇降させて高さ調節する装置、背支桿を座部に対して前後方向又は左右方向に移動させて位置調節する装置、椅子の座部を脚部に対して昇降させて高さ調節する装置、椅子の座部を脚部に対して前後方向又は左右方向に移動させて位置調節する装置等に適用しても良い。また、椅子以外のものに適用しても良い。例えば、机，テーブル，台類等の天板をフレーム，支持体等に対してスライドさせるスライドガイドに適用しても良い。この場合には、例えば天板を複数枚に分割して上下に重ねるように配置しておき、天板を広く使いたい場合に下の段の天板を上の段の天板の下から引き出して使用するタイプの机，テーブル，台類等を構成できる。また、天板を昇降させて高さ調節する装置等に適用しても良い。さらに、例えば棚をフレームに対して昇降させて高さ調節する装置に適用しても良い。また、例えばベッドの床板をフレームに対してスライドさせるスライドガイドに適用しても良い。さらに、例えばオーニング等に設けられているガイド部材にスライダを摺動させる装置等に適用しても良い。また、例えばシャワーヘッド等の壁や柱等への取付位置を調節する装置等、壁や柱等に固定したガイド部材１に対してスライダ２を移動させることでスライダ２に設けられている取付支持部の位置を調節する装置等に適用しても良い。
【００６１】
また、上述の説明では、スライドガイド装置２６を立てた状態で使用していたが、例えば横にした状態で使用しても良く、斜めの状態で使用しても良い。
【００６２】
また、上述の説明では、スライドガイド装置２６を、ガイド部材１に対してスライダ２を移動することでスライダ２に取り付けた部材の高さや位置を調節する装置に適用していたが、高さや位置を調節する装置・機構類に限るものではなく、例えばガイド部材１に対してスライダ２を移動させることで全体の長さを伸縮させる伸縮装置・機構等に適用しても良い。
【図面の簡単な説明】
【００６３】
【図１】本発明のスライドガイド装置の実施形態の一例を示す分解斜視図である。
【図２】図１のスライドガイド装置の操作部を取り外した状態を示し、（Ａ）はスライダを一番下まで下降させた様子を示す側面図、（Ｂ）はスライダを一番上まで上昇させた様子を示す側面図である。
【図３】カム体の変位によって係止凸部が操作されてスライドが上昇する様子を示し、（Ａ）はカム体が中立位置に在る状態の図、（Ｂ）はカム体が上側に変位された状態の図、（Ｃ）はスライダが上昇している状態の図である。
【図４】カム体の変位によって係止凸部が操作されてスライドが下降する様子を示し、（Ａ）はカム体が下側に変位された状態の図、（Ｂ）はスライダが下降している状態の図である。
【図５】係止凹部の拡大図である。
【図６】スライドガイド装置を高さ調節装置として組み込んだ肘掛けの側面図である。
【図７】スライドガイド装置を高さ調節装置として組み込んだ肘掛けの正面図である。
【図８】スライドガイド装置を肘掛けの高さ調節装置として組み込む様子を示す分解斜視図である。
【図９】カム体に設けられたカム孔の他の実施形態を示し、カム体が中立位置に在る状態の図である。
【図１０】従来の椅子の肘掛けの高さ調節装置を一部切り欠いて示した側面図である。
【図１１】従来の椅子の肘掛けの高さ調節装置の中央縦断面図である。
【符号の説明】
【００６４】
１  ガイド部材
２  スライダ
３  係止凹部（係止受け部）
４  係止凸部（係止部）
５  付勢部材
６  カム体
７  操作部
８  椅子の肘掛け支持体
９  椅子の肘掛け
１５  荷重受け面
２６  スライドガイド装置
２７  ガイド
Ｐ１  係止凸部の係止位置
Ｐ２  係止凸部の解除位置
Ｐ３  カム体の中立位置
Ｓ  スライダの移動方向
【図１】
0004624208.tif 000002
【図２】
0004624208.tif 000003
【図３】
0004624208.tif 000004
【図４】
0004624208.tif 000005
【図５】
0004624208.tif 000006
【図６】
0004624208.tif 000007
【図７】
0004624208.tif 000008
【図８】
0004624208.tif 000009
【図９】
0004624208.tif 000010
【図１０】
0004624208.tif 000011
【図１１】
0004624208.tif 000012